(57)【特許請求の範囲】
【請求項１】
収納体内に多数枚の長方形形状のウエットティッシュが積層収納されており、上記収納体の上面にウエットティッシュ取り出し用の取り出し口が形成されているウエットティッシュ包装体において、
上記取り出し口は、楕円形形状に形成されており、該楕円形形状に形成された該取り出し口の面積は、折り畳まれた状態で積層収納されている上記ウエットティッシュの上部面積より小さく、
上記ウエットティッシュは、その折り畳まれる前の短辺が上記取り出し口の短軸方向に平行で且つ該取り出し口の略中央に配置されて露出するように折り畳まれている
ことを特徴とするウエットティッシュ包装体。
【請求項２】
収納体内に多数枚の長方形形状のウエットティッシュが積層収納されており、上記収納体の上面にウエットティッシュ取り出し用の取り出し口が形成されているウエットティッシュ包装体において、
上記取り出し口は、楕円形形状に形成されており且つ該楕円形形状の長軸が上記収納体の短手方向と沿うように形成されており、該楕円形形状に形成された該取り出し口の面積は、折り畳まれた状態で積層収納されている上記ウエットティッシュの上部面積より小さく、
上記ウエットティッシュは、その折り畳まれる前の長辺が上記取り出し口の短軸方向に平行で且つ該取り出し口の略中央に配置されて露出するように折り畳まれている
ことを特徴とするウエットティッシュ包装体。
【請求項３】
上記ウエットティッシュはＺ状に３つ折りされてその短辺が３つ折りされた状態における略中央に配置されており、且つ３つ折りされた状態で更にその短辺と垂直に２つに折り畳まれている
ことを特徴とする請求項１又は２記載のウエットティッシュ包装体。
【発明の詳細な説明】
【０００１】
【発明の属する技術分野】
本発明は、収納体内に多数枚の長方形状のウエットティッシュが積層収納されており、上記収納体の上面にウエットティッシュ取り出し用の取り出し口が形成されているウエットティッシュ包装体に関し、更に詳しくは、ウエットティッシュを収納体から容易に取り出し可能で、且つ収納体から取り出し後にウエットティッシュが円滑に展開されるウエットティッシュ包装体に関する。
【０００２】
【従来の技術及び発明が解決しようとする課題】
一般に、収納体内に多数枚の長方形状のウエットティッシュが積層収納されており、上記収納体の上面にウエットティッシュ取り出し用の取り出し口が形成されているウエットティッシュ包装体はよく知られている。ウエットティッシュには、清拭剤や化粧料等が含浸されている。
この様なウエットティッシュ包装袋の代表的な一例を図６及び図７に示す。このウエットティッシュ包装体１１０においては、図６に示す様に、ウエットティッシュ１１２は折り畳んで収納体１１１に収納されており、携帯使用の便宜が図られている。ウエットティッシュ１１２は、図７に示すように、長辺１１２ｂに平行な方向に折り畳まれた後短辺１１２ａに平行に折り畳まれており、折り畳まれた状態においては長辺１１２ｂが該折り畳まれた状態における幅方向中央に配置されている。そしてこのウエットティッシュ１１２ａが複数、収納体１１１内に積層収納され、図６に示すように、長辺１１２ｂが収納体１１１の取り出し口１１３の長手方向に沿って露出されており、長辺１１２ｂ近傍を引っ張って一枚ずつ取り出すようになっている。収納体１１の上面には開閉蓋用ラベル（図示せず）が着脱自在に貼付さており、他の容器に移し替えることなくそのまま、開閉蓋用ラベル（図示せず）によって取り出し口１１３を開閉して使用するようになっている。
【０００３】
しかし、上述のようなウエットティッシュ包装体１１０においては、ウエットティッシュ１１２を１枚１枚別個に積層させて収納し、ウエットティッシュの湿潤状態を維持するために、収納体１１１の取り出し口１１３全体を閉塞しており、ウエットティッシュ１１２を取り出し難い。また特に上述のようなウエットティッシュ包装体１１０においては、ウエットティッシュ１１２は、その長辺１１２ｂが取り出し口１１３の長手方向に沿うように露出されているため、取り出す際に摘める長辺１１２ｂからの距離が短く、一層ウエットティッシュ１１２を取り出し難い問題点がある。また、ウエットティッシュ１１２は湿潤状態であるために、収納体から取り出し後にも展開され難い問題点がある。
【０００４】
従って、本発明の目的は、ウエットティッシュを収納体から容易に取り出し可能で、且つ収納体から取り出し後にウエットティッシュが円滑に展開されるウエットティッシュ包装体を提供することにある。
【０００５】
【課題を解決するための手段】
本発明は、収納体内に多数枚の長方形形状のウエットティッシュが積層収納されており、上記収納体の上面にウエットティッシュ取り出し用の取り出し口が形成されているウエットティッシュ包装体において、上記取り出し口は、楕円形形状に形成されており、該楕円形形状に形成された該取り出し口の面積は、折り畳まれた状態で積層収納されている上記ウエットティッシュの上部面積より小さく、上記ウエットティッシュは、その折り畳まれる前の短辺が上記取り出し口の短軸方向に平行で且つ該取り出し口の略中央に配置されて露出するように折り畳まれていることを特徴とするウエットティッシュ包装体を提供することにより、上記目的を達成したものである。
また、本発明は、収納体内に多数枚の長方形形状のウエットティッシュが積層収納されており、上記収納体の上面にウエットティッシュ取り出し用の取り出し口が形成されているウエットティッシュ包装体において、上記取り出し口は、楕円形形状に形成されており且つ該楕円形形状の長軸が上記収納体の短手方向と沿うように形成されており、該楕円形形状に形成された該取り出し口の面積は、折り畳まれた状態で積層収納されている上記ウエットティッシュの上部面積より小さく、上記ウエットティッシュは、その折り畳まれる前の長辺が上記取り出し口の短軸方向に平行で且つ該取り出し口の略中央に配置されて露出するように折り畳まれていることを特徴とするウエットティッシュ包装体を提供することにより、上記目的を達成したものである。
【０００６】
上記「楕円形形状」とは、長軸と短軸を有する角のない形状であればよく、いわゆる楕円形の形状の他、長方形の端部を半円形状とした形状等の長方形の角を丸めた形状、等も含まれる。
【０００７】
【発明の実施の形態】
以下、本発明のウエットティッシュ包装体の一実施形態を図面を参照しながら具体的に説明する。
図１は、本発明のウエットティッシュ包装体の一実施形態を示す平面図であり、図２は、図１のウエットティッシュ包装体のウエットティッシュの折り畳み形態を示す説明図であり、図３は、図１のウエットティッシュ包装体のウエットティッシュを折り畳んだ状態を示す平面図である。
【０００８】
本実施形態のウエットティッシュ包装体１０は、図１に示す様に、収納体１１内に多数枚の長方形形状のウエットティッシュ１２が積層収納されており、上記収納体１１の上面にウエットティッシュ取り出し用の取り出し口１３が形成されている。この構成については従来の公知技術と同じである。
而して、本実施形態のウエットティッシュ包装体１０では、上記取り出し口１３は、楕円形形状に形成されており、上記ウエットティッシュ１２は、その短辺１２ａが上記取り出し口１３の短軸方向に平行で且つ該取り出し口１３の略中央に配置されて露出するように折り畳まれている。
【０００９】
本実施形態について詳述すると、上記収納体１１は、アルミ箔の両面にプラスチックラミネート加工を施したフィルムを筒状に形成し、その開口端部を封着して形成したものである。収納体１１の上面は、中央部が楕円形形状に開口されてウエットティッシュ取り出し用の取り出し口１３が形成されている。この取り出し口１３は、その長径（長軸）が収納体１１の長手方向に沿うように形成されている。また収納体１１の上面には開閉蓋用ラベル（図示せず）が着脱自在に貼付さており、この開閉蓋用ラベル（図示せず）によって取り出し口１３が開閉されるようになっている。
【００１０】
上記取り出し口１３はその短径（短軸）長Ｗが２０〜３０ｍｍであることが好ましい。２０ｍｍ未満では、指が入りにくく、３０ｍｍ超では、取り出し口１３の面積が無駄に大きくなり清拭剤や化粧料等の含浸薬剤が揮散しやすくなる。また、取り出し口１３の長径（長軸）長Ｌは、４０〜４５ｍｍであることが好ましい。４０ｍｍ未満では、シートが出にくく、４５ｍｍ超では、取り出し口１３の面積が無駄に大きくなり清拭剤や化粧料等の含浸薬剤が揮散しやすくなる。
【００１１】
上記ウエットティッシュ１２は、それぞれの短辺１２ａが１５０ｍｍ、長辺１２ｂが２００ｍｍの長方形形状であって、図２に示すように、図中に示す仮想線Ｘにおいて図中に示す矢印方向に折曲されてＺ状に３つ折りされて、図３に示すように、各短辺１２ａが、３つ折りされた状態における略中央に配置されており、且つこの３つ折りされた状態で更にその短辺１２ａと垂直に図２中に示す仮想線Ｙで２つに折り畳まれており、このように折り畳まれた状態のまま多数枚が積層されて収納体１１に収納されている。そして積層されたうちの最上方の１枚の短辺１２ａのうちの一方が取り出し口１３から露出されており、短辺１２ａが取り出し口１３の短軸に重なって配置されている。
【００１２】
上記ウエットティッシュ１２としては、コットンや木材パルプの繊維をシート化し、清拭剤や化粧料を含浸させたもの等、従来より用いられるウエットティッシュを特に制限なく用いることができる。
【００１３】
そして、ウエットティッシュ１２の使用の際には、開閉蓋用ラベル（図示せず）を剥離して取り出し口１３を露出させ、ウエットティッシュ１２の短辺１２ａ近傍を摘んで取り出し口１３からウエットティッシュを引き出す。するとウエットティッシュは自重により容易にほぼ展開された状態で引き出される。
【００１４】
この様に、本実施形態のウエットティッシュ包装体１０によれば、ウエットティッシュ１２が、取り出し口１３において短辺１２ａから十分な距離まで露出されているので、取り出す際に摘みやすく、取り出しが容易である。
また、本実施形態のウエットティッシュ包装体１０によれば、ウエットティッシュが短辺１２ａを摘んだ状態で引き出されるため、自重により円滑に展開される。
【００１５】
本発明は上述した実施形態に限定されるものではなく、本発明の趣旨を逸脱しない限り適宜変更可能である。
例えば、図４に示すように、取り出し口１３は、その長軸が収納体１１の短手方向と沿うように形成させることもできる。
ウエットティッシュの折り畳み形態は、限られるものではなく、Ｚ折りだけでもよく、また、図５に示すように２つ折りでもよく、更により多く折り畳むことも可能であるが、上述のように、Ｚ状に３つ折りして各短辺１２ａを３つ折りした状態における略中央に配置し、且つこの３つ折りした状態で更にその短辺１２ａと垂直に２つに折り畳んだ折り畳み形態は、折り畳んだ状態がコンパクトであり且つ極めて円滑に展開可能である点で好ましい。
【００１６】
【発明の効果】
以上説明したように、本発明のウエットティッシュ包装体によれば、ウエットティッシュを収納体から容易に取り出し可能で、且つ収納体から取り出し後にウエットティッシュが円滑に展開される。
【図面の簡単な説明】
【図１】本発明のウエットティッシュ包装体の一実施形態を示す平面図である。
【図２】図１のウエットティッシュ包装体のウエットティッシュの折り畳み形態を示す説明図である。
【図３】図１のウエットティッシュ包装体のウエットティッシュを折り畳んだ状態を示す平面図である。
【図４】本発明のウエットティッシュ包装体の他の実施形態を示す平面図である。
【図５】本発明のウエットティッシュ包装体の他の例を示す平面図である。
【図６】従来技術のウエットティッシュ包装体の代表的な一例を示す平面図である。
【図７】図６のウエットティッシュ包装体のウエットティッシュを折り畳んだ状態を示す平面図である。
【符号の説明】
１０    ウエットティッシュ包装体
１１    収納体
１２    ウエットティッシュ
１２ａ  短辺
１２ｂ  長辺
１３    取り出し口
１４    開閉蓋用ラベル
【図１】
0003751108.tif 000002
【図２】
0003751108.tif 000003
【図３】
0003751108.tif 000004
【図４】
0003751108.tif 000005
【図５】
0003751108.tif 000006
【図６】
0003751108.tif 000007
【図７】
0003751108.tif 000008